(57)【要約】【課題】放熱対策部品の部品点数、組立工数を低減させつつ、撮像素子の放熱性を向上させる電子カメラを提供する。【解決手段】背面にＣＣＤ１３が配置されたレンズユニット１０を、アルミ合金等の高熱伝導部材で構成された外装前面部品２１に収容する。ＣＣＤ１３と外装前面部品２１の隙間を０．５ｍｍ以下とし、この空気層を介してＣＣＤ１３で発生した熱を外装前面部品２１に伝導し、外装前面部品２１により放熱する。【選択図】  図２
2009081715.tif 000002
【特許請求の範囲】
【請求項１】
撮像レンズを内蔵し、背面に撮像素子が配置されたレンズユニットと、
熱伝導率の高い金属材料で構成され、前面に前記レンズユニットが収容される凹部を備えた外装ケースと、を備え、
前記外装ケースの凹部に収容されたレンズユニットの前面が前記外装ケースの前面の一部を構成することを特徴とする電子カメラ。
【請求項２】
前記熱伝導率の高い金属材料は、アルミニウム、マグネシウム、アルミニウム合金、及びマグネシウム合金のいずれかであることを特徴とする請求項１に記載の電子カメラ。
【請求項３】
前記外装ケースの前面に形成された凹部の底面と該凹部に収容されたレンズユニットの背面との間に、前記レンズユニットの背面に配置された前記撮像素子に外圧がかからない程度に隙間を有することを特徴とする請求項１又は２に記載の電子カメラ。
【請求項４】
前記隙間は０．５ｍｍ以下であることを特徴とする請求項１から３のいずれかに記載の電子カメラ。
【請求項５】
前記隙間に熱伝達部材を配置したことを特徴とする請求項１から４のいずれかに記載の電子カメラ。
【請求項６】
前記熱伝達部材は、放熱用グリス又は放熱用ジェルであることを特徴とする請求項５に記載の電子カメラ。
【請求項７】
前記レンズユニットは前記撮像素子から延出されたフレキシブルプリント基板を備え、前記フレキシブルプリント基板は、前記隙間で折り返されることにより前記フレキシブルプリント基板に形成された金属パターンを前記凹部の底面に押し付けるバネ力を発生させる折り返し部を備えたことを特徴とする請求項１から３のいずれかに記載の電子カメラ。
【請求項８】
前記外装ケースの前面となる部品に押し付けられる前記フレキシブルプリント基板に形成された金属パターンは、前記撮像素子の基準電位と接続されていることを特徴とする請求項７に記載の電子カメラ。
【請求項９】
前記外装ケースは、前面及び左右両側面を構成する外装前面部品と、背面及び上下両面を構成する外装背面部品とからなることを特徴とする請求項１から８のいずれかに記載の電子カメラ。
【発明の詳細な説明】
【技術分野】
【０００１】
本発明は電子カメラに係り、特に撮像素子等の電子部品が発生する熱を外装に伝導させて放熱する電子カメラに関する。
【背景技術】
【０００２】
撮像素子や撮像素子を制御するＣＰＵ等は動作することにより熱を発生し、近年における高画素化、高集積化により、この発熱量は増大している。この温度上昇の影響により、撮像素子により得られた画像にノイズが出て、画質の低下を生じさせるなどの問題が生じ、さらに、動作が保証される許容温度範囲を超えて撮像素子やＣＰＵが誤動作を起こしたり、焼損してしまう場合もある。したがって、このような発熱に対する様々な対策が提案されている。例えば、特許文献１のデジタルカメラにおいては、撮像素子の裏面に配置した放熱用部材を介して撮像素子の放熱冷却を行っている。また、特許文献２に記載のデジタルカメラは、ペルチェ素子を用いて撮像素子を冷却し、ペルチェ素子からの熱を伝熱部材を介してカメラ筐体に伝熱している。
【特許文献１】特開２００６−２１１０９１号公報
【特許文献２】特開２００４−２６０７０４号公報
【発明の開示】
【発明が解決しようとする課題】
【０００３】
しかしながら、特許文献１に記載の技術においては、放熱用部材が必要であり、コストが高いという欠点があった。また、特許文献２に記載の技術においても、ペルチェ素子や素子の駆動回路が必要となるためコストが高く、さらに構造が複雑であるという問題点があった。
【０００４】
本発明はこのような事情に鑑みてなされたもので、放熱対策部品の部品点数、組立工数を低減させつつ、撮像素子の放熱性を向上させる電子カメラを提供することを目的とする。
【課題を解決するための手段】
【０００５】
前記目的を達成するために請求項１に記載の電子カメラは、撮像レンズを内蔵し、背面に撮像素子が配置されたレンズユニットと、熱伝導率の高い金属材料で構成され、前面に前記レンズユニットが収容される凹部を備えた外装ケースとを備え、前記外装ケースの凹部に収容されたレンズユニットの前面が前記外装ケースの前面の一部を構成することを特徴とする。
【０００６】
これにより、デザイン性を損なうことなく、放熱専用部材を使用せずに撮像素子の放熱を行なうことができる。
【０００７】
請求項２に示すように請求項１に記載の電子カメラにおいて、前記熱伝導率の高い金属材料は、アルミニウム、マグネシウム、アルミニウム合金、及びマグネシウム合金のいずれかであることを特徴とする。
【０００８】
これにより、効率よく撮像素子の放熱を行なうことができる。
【０００９】
請求項３に示すように請求項１又は２に記載の電子カメラにおいて、前記外装ケースの前面に形成された凹部の底面と該凹部に収容されたレンズユニットの背面との間に、前記レンズユニットの背面に配置された前記撮像素子に外圧がかからない程度に隙間を有することを特徴とする。
【００１０】
これにより、撮像素子に悪影響を及ぼさずに効率よく撮像素子の放熱を行なうことができる。
【００１１】
請求項４に示すように請求項１から３のいずれかに記載の電子カメラにおいて、前記隙間は０．５ｍｍ以下であることを特徴とする。
【００１２】
これにより、撮像素子に悪影響を及ぼさずに効率よく撮像素子の放熱を行なうことができる。
【００１３】
請求項５に示すように請求項１から４のいずれかに記載の電子カメラにおいて、前記隙間に熱伝達部材を配置したことを特徴とする。
【００１４】
これにより、効率よく撮像素子の放熱を行なうことができる。
【００１５】
請求項６に示すように請求項５に記載の電子カメラにおいて、前記熱伝達部材は、放熱用グリス又は放熱用ジェルであることを特徴とする。
【００１６】
これにより、効率よく撮像素子の放熱を行なうことができる。
【００１７】
請求項７に示すように請求項１から３のいずれかに記載の電子カメラにおいて、前記レンズユニットは前記撮像素子から延出されたフレキシブルプリント基板を備え、前記フレキシブルプリント基板は、前記隙間で折り返されることにより前記フレキシブルプリント基板に形成された金属パターンを前記凹部の底面に押し付けるバネ力を発生させる折り返し部を備えたことを特徴とする。
【００１８】
これにより、効率よく撮像素子の放熱を行なうことができる。
【００１９】
請求項８に示すように請求項７に記載の電子カメラにおいて、前記外装ケースの前面となる部品に押し付けられる前記フレキシブルプリント基板に形成された金属パターンは、前記撮像素子の基準電位と接続されていることを特徴とする。
【００２０】
これにより、撮像素子にノイズが入ることなく撮像素子の放熱を行なうことができる。
【００２１】
請求項９に示すように請求項１から８のいずれかに記載の電子カメラにおいて、前記外装ケースは、前面及び左右両側面を構成する外装前面部品と、背面及び上下両面を構成する外装背面部品とからなることを特徴とする。
【００２２】
これにより、効率よく撮像素子の放熱を行なうことができる。
【発明の効果】
【００２３】
本発明によれば、放熱対策部品の部品点数、組立工数を低減させつつ、撮像素子の放熱性を向上させる電子カメラを提供することができる。
【発明を実施するための最良の形態】
【００２４】
以下、添付図面に従って本発明を実施するための最良の形態について説明する。
＜第１の実施の形態＞
図１は、本発明が適用されたデジタルカメラの第１の実施の形態の分解斜視図である。
【００２５】
同図に示すように、本実施の形態のデジタルカメラ１は、外装ケース２０の前面に形成された凹部にレンズユニットが収容されて構成される。外装ケース２０は、矩形の箱状に形成され、外装前面部品２１と外装背面部品２２とで構成される。
【００２６】
レンズユニット１０は略直方体であり、前面には開閉自在なレンズバリア１１を備え、レンズバリア１１の内側に図示しない撮影レンズを備えている。後述するように、レンズユニット１０の前面はデジタルカメラ１の外装の前面の一部を構成する。
【００２７】
図２にレンズユニット１０の背面斜視図を示す。レンズユニット１０の背面には、ＣＣＤ１３が実装されたフレキシブル基板１２、ＣＣＤ押さえ板１４、及び締結部１５を備えている。ＣＣＤ１３は、撮影レンズを透過した被写体光を受光し、受光面上に結像された光量に応じた電気信号を出力する撮像素子である。ＣＣＤ押さえ板１４は、ネジ１６を用いてＣＣＤ１３をレンズユニット１０の背面内壁に押圧することにより、ＣＣＤ１３を所定の位置に位置決め保持している。締結部１５は、レンズユニット１０と外装前面部品２１を締結するための部分である。フレキシブル基板１２及びＣＣＤ押さえ板１４にはＣＣＤ１３のための逃げ穴が施され、レンズユニット１０の背面には、フレキシブル基板１２に実装され、ＣＣＤ押さえ板１４により固定されたＣＣＤ１３の背面が露出している。
【００２８】
外装前面部品２１は、アルミ合金により構成され、レンズユニット１０を収納した際に、レンズユニット１０のＣＣＤ１３が発生した熱を伝導し、放熱する役割を果たす。この外装前面部品２１は、アルミ合金に限定されることはなく、アルミニウム、マグネシウム、マグネシウム合金等の高熱伝導部材であればよい。
【００２９】
外装前面部品２１は、デジタルカメラ１の外装ケースの前面及び両側面を構成し、レンズユニット１０を収容するためのレンズユニットの形状に合致した矩形状の凹部を備えている。凹部は、レンズユニット１０の形状に合致した形状に形成される。レンズユニット１０はこの凹部に収納され、締結部１５において図示しないネジ等により外装前面部品２１に締結される。
【００３０】
また、外装前面部品２１は長穴２３を備えている。長穴２３は、レンズユニット１０を締結した際に、レンズユニット１０から延出されているフレキシブル基板１２が差し込まれる。長穴２３を通って外装前面部品２１の内側に挿入されたフレキシブル基板１２は、図示しない画像信号処理ＣＰＵ等が実装されたメイン基板と接続される。
【００３１】
外装背面部品２２は、デジタルカメラ１の外装ケースの背面及び上下面を構成し、外装前面部品２１と図示しないネジ等で結合可能に構成されている。通常、外装前面部品２１及び外装背面部品２２の間には、前述の画像信号処理ＣＰＵの他、各種撮像制御コントローラ、ストロボ、バッテリー等が内蔵される他、外装前面部品２１及び外装背面部品２２には、シャッタボタンや各種操作スイッチ、ＬＣＤディスプレイ等が配置されるが、図１ではこれらは全て省略している。
【００３２】
図３は、デジタルカメラ１の上面図であり、レンズユニット１０が外装前面部品２１の凹部に収納され、フレキシブル基板１２が長穴２３に差し込まれた状態を示している。同図に示すように、レンズユニット１０の前面部は、外装前面部品２１と同一面上に形成されている。このように、レンズユニット１０の前面はデジタルカメラ１の外装の前面の一部を構成する。この状態において、ＣＣＤ１３の姿勢に悪影響を及ぼさないように、ＣＣＤ１３の背面と外装前面部品２１は、ＣＣＤ１３に外圧がかからない程度に隙間を形成している。この隙間は、熱を効率よく伝えるために０．５ｍｍ以下であることが望ましい。
【００３３】
このように構成することにより、レンズユニット１０の背面に配置されたＣＣＤ１３で発生する熱を高熱伝導部材で構成された外装前面部品２１に伝え、外装前面部品２１によって放熱することが可能となる。
【００３４】
この、レンズユニット１０の背面部と外装前面部品２１との隙間に放熱グリスや放熱ジェルを配置してもよい。図４は、この隙間に放熱グリス１７を配置した状態を示す上面図である。この場合は、ＣＣＤ１３の背面と外装前面部品２１の隙間の間隔は０．５ｍｍ以下でなくてもよい。このように、隙間に放熱グリスや放熱ジェルを配置することにより、効率よくＣＣＤ１３で発生する熱を外装前面部品２１に伝導することが可能となる。
【００３５】
＜第２の実施の形態＞
図５は、デジタルカメラ１の第２の実施の形態の分解斜視図である。なお、図１の分解斜視図と共通する部分には同一の符号を付し、その詳細な説明は省略する。図１に示す第１の実施の形態のデジタルカメラ１とは、フレキシブル基板１２の形状が異なっている。
【００３６】
図６（ａ）は、第２の実施の形態のフレキシブル基板１２の平面図である。フレキシブル基板１２は、折り返し部１８、及びＣＣＤ１３の基準電位と接続されたグランドパターン１９を備えている。図６（ｂ）は、折り返し部１８において折り返した状態を示した図である。
【００３７】
図７に、フレキシブル基板１２の断面図を示す。同図に示すように、フレキシブル基板１２は、配線パターンを形成する導電材料（例えば銅）を、絶縁層を形成するポリイミドで挟み込む断面となっている。ここで、図６（ａ）、図６（ｂ）に示すグランドパターン１９ａ、１９ｂにおいては、ポリイミドはグランドパターン１９ａ側だけに形成しており、グランドパターン１９ｂ側は銅が露出した状態となっている。
【００３８】
図５に示すように、フレキシブル基板１２がＣＣＤ押さえ板１４によりレンズユニット１０に固定され、さらに折り返し部１８により折り返されている状態で外装前面部品２１に収容されると、グランドパターン１９ｂが外装前面部品２１の前面部と接触する。このように構成することで、ＣＣＤ１３で発生する熱を、グランドパターン１９を介して外装前面部品２１に伝え、外装前面部品２１によって放熱することが可能となる。
【図面の簡単な説明】
【００３９】
【図１】図１は、本発明が適用されたデジタルカメラの第１の実施の形態の分解斜視図である。
【図２】図２は、レンズユニット１０の背面斜視図である。
【図３】図３は、デジタルカメラ１の上面図である。
【図４】図４は、ＣＣＤ１３及び外装前面部品２１の隙間に放熱グリス１７を配置した状態を示す上面図である。
【図５】図５は、デジタルカメラ１の第２の実施の形態の分解斜視図である。
【図６】図６は、第２の実施の形態のフレキシブル基板１２の平面図である。
【図７】図７は、フレキシブル基板１２の断面図である。
【符号の説明】
【００４０】
１…デジタルカメラ、１０…レンズユニット、１２…フレキシブル基板、１３…ＣＣＤ、１４…ＣＣＤ押え板、１５…締結部、１７…放熱グリス、１８…折り返し部、１９…グランドパターン、２１…外装前面部品、２２…外装背面部品、２３…長穴
【図１】
2009081715.tif 000003
【図２】
2009081715.tif 000004
【図３】
2009081715.tif 000005
【図４】
2009081715.tif 000006
【図５】
2009081715.tif 000007
【図６】
2009081715.tif 000008
【図７】
2009081715.tif 000009